(57)【要約】【課題】幅木の交換作業の際にクロスの傷付きを防止でき、後施工でカーペットの端部を容易に敷き込むことができ、床材の厚さ変更に容易に対応できる幅木および幅木の固定構造を提供する。【解決手段】幅木５を、壁に固定される幅木本体６と、幅木本体６の前面に取り付けられる化粧面材７とを備えた構成とし、幅木本体６はその上端部に下方に開口する凹所１１が設けられ、化粧面材７は、その上端部を前記凹所１１に挿入した状態で前記幅木本体６に上下にスライド可能に、かつ、幅木本体６より下方に延出して取り付けられている。したがって、クロス１ａを幅木交換作業の際に傷付けるのを防止できる。また、化粧面材７を上方にスライドさせることによって、カーペット１６の端部を容易に敷き込むことができる。また、床材３ｂの厚さ変更にも、化粧面材７を上下にスライドさせることによって容易に対応できる。【選択図】図１
2008215005.tif 000002
【特許請求の範囲】
【請求項１】
壁の下端部に取り付けられる幅木において、
前記壁の下端部表面に、床面から上方に離間して固定される幅木本体と、
この幅木本体の前面に取り付けられる化粧面材とを備え、
前記幅木本体はその上端部に下方に開口する凹所が設けられており、
前記化粧面材は、その上端部を前記凹所に挿入した状態で前記幅木本体に上下にスライド可能に、かつ、前記幅木本体より下方に延出して取り付けられていることを特徴とする幅木。
【請求項２】
請求項１に記載の幅木において、
前記幅木本体の表面には受部が設けられ、
前記化粧面材の裏面には、前記受部に上下にスライド可能にかつ化粧面材の面外方向への移動を抑制するように係合する係合部が設けられていることを特徴とする幅木。
【請求項３】
請求項２に記載の幅木において、
前記受部は幅木本体の下端から上方に向けて突出する突出片であり、
前記係合部は下方に向けて開口して前記突出片に上方から係合する係合溝であることを特徴とする幅木。
【請求項４】
請求項２または３に記載の幅木において、
前記幅木本体の表面と化粧面材の裏面との間には、クッション材が幅木本体の表面と化粧面材の裏面とに当接した状態で介在していることを特徴とする幅木。
【請求項５】
請求項１〜４のいずれか一項に記載の幅木を壁に固定してなる幅木の固定構造において、
前記壁が、壁本体と、この壁本体の表面に下端部を床面から上方に離間して固定された耐火材とを備えており、
前記耐火材の表面に前記幅木の幅木本体が固定されており、前記幅木の化粧面材の下端が床面に当接していることを特徴とする幅木の固定構造。
【発明の詳細な説明】
【技術分野】
【０００１】
本発明は、壁面の下部に設けられる幅木およびその固定構造に関する。
【背景技術】
【０００２】
例えば、住宅等の建物の室内の壁面を施工する場合、壁面と床面との間に幅木を壁面の下部に沿って設け、見栄えよく仕上げることが行なわれている。このような幅木の一例として特許文献１に記載のものが知られている。
この幅木は壁面に固定される固定部と、化粧部と、不陸調整部とからなり、化粧部は固定部に着脱自在に取り付けられ、不陸調整部は軟質材料から構成されるとともに、床面の不陸を吸収するようにされたものである。
化粧部は固定部に外側から嵌合するようにして該固定部に取り付けられており、壁面に貼り付けられるクロスの下端は化粧部の上面まで延出し、該化粧部の上面に当接している。
【特許文献１】特開２００５−１７１６５７号公報
【発明の開示】
【発明が解決しようとする課題】
【０００３】
ところで、前記従来の幅木では、それが損傷した場合等に交換する際、幅木全体を壁面から取り外す必要があるために、クロスの下端部が幅木交換作業の際に傷付けられることが多い。
また、フローリング等の床材が損傷して、該床材の貼り替えが生じた場合、幅木全体壁面から取り外す必要があるために、クロスの下端部が幅木交換作業の際に傷付けられることが多い。
また、幅木の下端は床面に当接しているが、幅木を壁面に固定した後、後施工で床面にカーペットを敷き込む場合、このカーペットの端部を幅木の下端と床面との間に敷き込むのは困難である。
さらに、フローリング等の床材の厚さ変更に容易に対応できない。
【０００４】
本発明は上記事情に鑑みてなされたもので、幅木の交換作業の際にクロスの傷付きを防止でき、また、後施工でカーペットの端部を容易に敷き込むことができ、さらに床材の厚さ変更に容易に対応できる幅木および幅木の固定構造を提供することを課題としている。
【課題を解決するための手段】
【０００５】
上記課題を解決するために、請求項１に記載の発明は、例えば図１に示すように、壁１の下端部に取り付けられる幅木５において、
前記壁１の下端部表面に、床面３ａから上方に離間して固定される幅木本体６と、
この幅木本体６の前面に取り付けられる化粧面材７とを備え、
前記幅木本体６はその上端部に下方に開口する凹所１１が設けられており、
前記化粧面材７は、その上端部を前記凹所１１に挿入した状態で前記幅木本体６に上下にスライド可能に、かつ、前記幅木本体６より下方に延出して取り付けられていることを特徴とする。
【０００６】
請求項１に記載の発明によれば、幅木本体６の前面に化粧面材７が取り付けられているので、幅木本体６は化粧面材７によって保護されている。そして、化粧面材７はその上端部を幅木本体６の上端部に設けられた凹所１１に挿入した状態で該幅木本体６に上下にスライド可能に取り付けられているので、化粧面材７が損傷した場合は、該化粧面材７をその上端部を凹所１１から外すようにしてスライドさせて取り外し、新たな化粧面材７をその上端部を凹所１１に挿入して取り付ければよい。このように幅木本体６は壁面に固定したままでよいので、幅木本体６の上面に当接しているクロス１ａを幅木交換作業の際に傷付けるのを防止できる。
また、フローリング等の床材３ｂが損傷して、該床材３ｂの貼り替えが生じた場合も、該化粧面材７をその上端部を凹所１１から外すようにしてスライドさせて取り外して行え、幅木本体６は壁面に固定したままでよいので、幅木本体６の上面に当接しているクロス１ａを幅木交換作業の際に傷付けるのを防止できる。
また、化粧面材７は、その上端部を凹所１１に挿入した状態で幅木本体６に上下にスライド可能に、かつ、幅木本体６より下方に延出して取り付けられているので、後施工でカーペット１６を床面に敷き込む際に、化粧面材７をカーペット１６の厚さ分だけ上方にスライドさせることによって、該化粧面材７と床面３ａとの間に、カーペット１６の端部を容易に敷き込むことができる。
さらに、フローリング等の床材３ｂの厚さ変更にも、化粧面材７を上下にスライドさせることによって容易に対応できる。
【０００７】
請求項２に記載の発明は、請求項１に記載の幅木において、
前記幅木本体６の表面には受部９ｂが設けられ、
前記化粧面材７の裏面には、前記受部９ｂに上下にスライド可能にかつ化粧面材７の面外方向への移動を抑制するように係合する係合部１２ａが設けられていることを特徴とする。
【０００８】
請求項２に記載の発明によれば、幅木本体６の表面に設けられた受部９ｂに、化粧面材７の裏面に設けられた係合部１２ａを係合することによって、化粧面材７が上下にスライド可能にかつ面外方向への移動が抑制されるので、化粧面材７の下端を床面３ａに確実に当接できるとともに、該化粧面材７の面外方向への逸脱を防止できる。
【０００９】
請求項３に記載の発明は、請求項２に記載の幅木において、
前記受部９ｂは幅木本体６の下端から上方に向けて突出する突出片９ｂであり、
前記係合部１２ａは下方に向けて開口して前記突出片９ｂに上方から係合する係合溝１２ｂであることを特徴とする。
【００１０】
請求項３に記載の発明によれば、化粧面材７の上端部を幅木本体６の上端部の凹所１１に挿入したうえで、該化粧面材７を下方にスライドさせることによって、化粧面材７の係合溝１２ａを幅木本体６の突出片９ｂに上方から容易に係合させることができる。
【００１１】
請求項４に記載の発明は、請求項２または３に記載の幅木において、
前記幅木本体６の表面と化粧面材７の裏面との間には、クッション材１３が幅木本体６の表面と化粧面材７の裏面とに当接した状態で介在していることを特徴とする。
【００１２】
請求項４に記載の発明によれば、幅木本体６の表面と化粧面材７の裏面との間には、クッション材１３が介在しているので、化粧面材７にその表面からある程度の衝撃が加わってもそれをクッション材７で吸収して化粧面材の損傷を防止できる。また、化粧面材の面外方向へのガタツキを防止できる。
【００１３】
請求項５に記載の発明は、請求項１〜４のいずれか一項に記載の幅木を壁に固定してなる幅木の固定構造において、
前記壁１が、壁本体２と、この壁本体２の表面に下端部を床面から上方に離間して固定された耐火材４とを備えており、
前記耐火材４の表面に前記幅木５の幅木本体６が固定されており、前記幅木５の化粧面材７の下端が床面３ａに当接していることを特徴とする。
【００１４】
請求項５に記載の発明によれば、化粧面材７が損傷した場合は、該化粧面材７をその上端部を凹所１１から外すようにしてスライドさせて取り外し、新たな化粧面材７をその上端部を凹所１１に挿入して取り付ければよい。このように幅木本体６は耐火材４の表面に固定したままでよいので、幅木本体６の上面に当接しているクロス１ａを幅木交換作業の際に傷付けるのを防止できる。
また、化粧面材７は、その上端部を凹所１１に挿入した状態で幅木本体６に上下にスライド可能に、かつ、幅木本体６より下方に延出して取り付けられ、化粧面材７の下端が床面３ａに当接しているので、後施工でカーペット１６を床面３ａに敷設する際に、化粧面材７をカーペット１６の厚さ分だけ上方にスライドさせることによって、該化粧面材７と床面３ａとの間に、カーペット１６の端部を容易に敷き込むことができる。
さらに、化粧面材７の下端部と壁本体２の下端部表面と床面３ａとの間に幅木５の長手方向に沿う空間１４が形成されるので、この空間１４に配線を挿入することができる。
【発明の効果】
【００１５】
本発明によれば、化粧面材が損傷した場合は、該化粧面材をその上端部を凹所から外すようにしてスライドさせて取り外し、新たな化粧面材をその上端部を凹所に挿入して取り付ければよい。このように幅木本体は壁面に固定したままでよいので、幅木本体の上面に当接しているクロスを幅木交換作業の際に傷付けるのを防止できる。
また、化粧面材は、その上端部を凹所に挿入した状態で幅木本体に上下にスライド可能に、かつ、幅木本体より下方に延出して取り付けられているので、後施工でカーペットを床面に敷き込む際に、化粧面材をカーペットの厚さ分だけ上方にスライドさせることによって、該化粧面材と床面との間に、カーペットの端部を容易に敷き込むことができる。
さらに、フローリング等の床材の厚さ変更にも、化粧面材を上下にスライドさせることによって容易に対応できる。
【発明を実施するための最良の形態】
【００１６】
以下図面を参照して本発明の実施の形態について説明する。
図１は本発明に係る幅木を壁に固定した状態を示す縦断面図である。図１において符号１は壁を示す。この壁１は壁本体２とこの壁本体２の表面に下端部を床３の床面３ａから上方に離間して固定された板状の耐火材４とを備えている。壁本体２は例えば木質の壁パネルによって構成されている。また、耐火材４は例えば石膏ボードによって構成されている。
なお、床３は床本体３ｃと、この床本体３ｃ上に設けられたフローリング等からなる床材３ｂとから構成されており、床材３ｂの端部は釘に３ｄによって床本体３ｃに固定されている。床本体３ｃは例えば木質の床パネルで構成されている。
【００１７】
前記耐火材４の下端部表面に幅木５が以下のようにして取り付けられている。
すなわちまず、幅木５は樹脂によって押出成形されてなるもので、図１において紙面と直交する方向に長尺に形成されている。
また、幅木５は、幅木本体６とこの幅木本体６の前面に取り付けられる化粧面材７との２ピースによって構成されている。
幅木本体６は耐火材４の表面に固定される固定板６ａと、この固定板６ａの上下端部にそれぞれ形成されて、固定板６ａから前方に突出する突出部８，９とから構成されている。固定板６ａは釘１０によって耐火材４の下端部表面に固定されており、これによって、幅木本体６が床面３ａから上方に離間して壁１の下端部表面に固定されている。なお、釘１０は上下に離間して配置されるとともに、図１において紙面と直交する方向に所定間隔で配置されている。また、釘１０は固定板６ａの表面から耐火材４を貫通して壁本体２まで打ち込まれている。
【００１８】
突出部８は断面Ｌ字型に形成されたものであり、一片８ａは固定板６ａから直角に突出し、他片８ｂは一片８ａの先端から下方に垂下している。突出部９も断面Ｌ字型に形成されたものであり、一片９ａは固定板６ａから直角に突出し、他片９ｂは一片９ａの先端から上方に延出している。
そして、幅木本体６の上端部には固定板６ａの上端部と突出部８とによって下方に開口する凹所１１が形成されている。また、前記突出部９の他片９ｂは、後述する係合部１２ａが係合する受部９ｂとしての突出片９ｂとされている。
さらに、耐火材４の表面には仕上げ材としてのクロス１ａが貼り付けられており、このクロス１ａの下端は前記突出部８の一片８ａの上面に当接している。なお、クロス１ａの下端を幅木本体６の固定板６ａの裏面と耐火材４の表面との間に差込んでもよい。
【００１９】
前記化粧面材７は略平板状のものであり、その上端部には差込部７ａが形成されている。この差込部７ａはその上端部が前記凹所１１に差込まれるものであり、化粧面材７の表面より１段窪んだ位置に形成されている。
また、化粧面材７の裏面には突出部１２が形成されている。この突出部１２は断面Ｌ字型に形成されており、この突出部１２の内壁面と化粧面材７の裏面とによって係合部１２ａとしての係合溝１２ａが形成されている。この係合溝１２ａは下方に開口しており、前記受部９ｂとしての突出片９ｂが挿入されることによって、該突出片９ｂに係合するようになっている。
そして、化粧面材７はその上端部の差込部７ａを前記凹所１１に下方から差込んだうえで下方にスライドさせることによって、係合溝１２ａを突出片９ｂに係合させることによって、幅木本体６に上下にスライド可能に取り付けられている。そして、この状態において、化粧面材７は幅木本体より下方に延出しており、その下端は床面３ａに当接している。
また、係合溝１２ａが突出片９ｂに係合することによって、化粧面材７の面外方向への移動が抑制されている。
【００２０】
また、幅木本体６の固定板６ａの表面と化粧面材７の裏面との間には、クッション材１３が介在している。クッション材１３は例えばゴム等の弾性材によって形成されており、幅木５の上下方向略中央部に配置され、幅木本体６と化粧面材７との双方に当接している。
さらに、化粧面材７の下端部と壁本体２の下端部表面と床面３ａとの間には幅木５の長手方向（図１において紙面と直交する方向）に沿う空間１４が形成されており、この空間１４には配線１５が挿入されている。配線１５としては例えば電気配線や同軸ケーブル、ＬＡＮケーブル等が挙げられる。
【００２１】
上記のような幅木５を壁１に固定する場合、まず、幅木本体６を耐火材４の表面に固定する。この場合、幅木本体６の固定板６ａを釘１０によって耐火材４の表面に固定する。
次に、前記空間１４に配線１５を挿入した後、化粧面材７を幅木本体６に取り付ける。この場合、化粧面材７の上端部の差込部７ａを幅木本体６の上端部の凹所１１に下方から差込んだうえで、該化粧面材７を下方にスライドさせることによって、化粧面材７の係合溝１２ａを幅木本体６の下端部の突出片９ｂに係合させることによって、化粧面材７を幅木本体６に上下にスライド可能に取り付けるとともに、化粧面材７の下端を床面３ａに当接させる。幅木本体６と化粧面材７との間に介在するクッション材１３は例えば、幅木本体６を固定した後でかつ化粧面材７を取り付ける前に、固定板６ａの表面に両面接着テープ等によって取り付ければよい。また、クッション材１３は予め固定板６ａに表面に取り付けておいてもよい。
【００２２】
上記のようにして壁２に幅木５を固定してなる構造において、例えば図２に示すように、床面３ａ上に後施工でカーペット１６を敷設する場合、化粧面材７をカーペット１６の厚さ分だけ上方にスライドさせることによって、床面３ａと化粧面材７の下端との間に隙間を設け、床面３ａに敷設したカーペット１６の端部を前記隙間から挿入することによって、化粧面材７と床面３ａとの間に、カーペット１６の端部を容易に敷き込むことができる。
【００２３】
本実施の形態によれば、幅木本体６の前面に化粧面材７が取り付けられているので、幅木本体６は化粧面材７によって保護されている。そして、化粧面材７はその上端部の差込部７ａを幅木本体６の上端部の凹所１１に挿入するとともに、係合溝１２ａを突出片９ｂに係合した状態で該幅木本体６に上下にスライド可能に取り付けられているので、化粧面材７が損傷した場合は、該化粧面材７を上方にスライドさせて係合溝１２ａを幅木本体６の突出片９ｂから外したうえで、化粧面材７をその差込部７ａを凹所から外すようにして下方にスライドさせて取り外し、新たな化粧面材７をその差込部７ａを凹所１１に挿入したうえで、下方にスライドさせて係合溝１２ａを突出片９ｂに係合させて取り付ければよい。
このように幅木本体６は壁面に固定したままでよいので、幅木本体６の突出部８の上面に当接しているクロス１ａを幅木交換作業の際に傷付けるのを防止できる。
【００２４】
また、化粧面材７は、その上端部の差込部７ａを凹所１１に挿入するとともに、係合溝１２ａを突出片９ｂに係合した状態で幅木本体６に上下にスライド可能に、かつ、幅木本体６より下方に延出して取り付けられているので、後施工でカーペット１６を床面３ａに敷き込む際に、化粧面材７をカーペット１６の厚さ分だけ上方にスライドさせることによって、該化粧面材７と床面３ａとの間に、カーペット１６の端部を容易に敷き込むことができる。
【００２５】
さらに、幅木本体６の表面に設けられた突出片９ｂに、化粧面材７の裏面に設けられた係合溝１２ａを係合することによって、化粧面材７が上下にスライド可能にかつ面外方向への移動が抑制されるので、化粧面材７の下端を床面３ａに確実に当接できるとともに、該化粧面材７の面外方向への逸脱を防止できる。
また、フローリング等の床材３ｂが損傷して、該床材３ｂの貼り替えが生じた場合も、該化粧面材７をその上端部を凹所１１から外すようにしてスライドさせて取り外して行え、幅木本体６は壁面に固定したままでよいので、幅木本体６の上面に当接しているクロス１ａを幅木交換作業の際に傷付けるのを防止できる。
加えて、化粧面材７の上端部の差込部７ａを幅木本体６の上端部の凹所１１に挿入したうえで、該化粧面材７を下方にスライドさせることによって、化粧面材７の係合溝１２ａを幅木本体６の突出片９ｂに上方から容易に係合させることができる。
さらに、フローリング等の床材３ｂの厚さ変更にも、化粧面材７を上下にスライドさせることによって容易に対応できる。
また、幅木本体６の表面と化粧面材７の裏面との間に、クッション材１３が介在しているので、化粧面材７にその表面からある程度の衝撃が加わってもそれをクッション材１３で吸収して化粧面材７の損傷を防止できる。また、クッション材１３によって化粧面材７の差込部７ａが幅木本体６の突出部８の他片８ｂに押付けられ、化粧面材７の突出部１２が幅木本体６の突出片９ｂに押付けられるので、化粧面材７の面外方向へのガタツキを防止できる。
また、化粧面材７の下端部と壁本体２の下端部表面と床面３ａとの間に幅木５の長手方向に沿う空間１４が形成されるので、この空間１４に配線１５を挿入することができる。
【図面の簡単な説明】
【００２６】
【図１】本発明に係る幅木を壁に固定した状態を示すもので、その縦断面図である。
【図２】同、後施工でカーペットを敷設した状態を示す縦断面図である。
【符号の説明】
【００２７】
１  壁
１ａ  クロス
２  壁本体
３ａ  床面
４  耐火材
５  幅木
６  幅木本体
７  化粧面材
９ｂ  受部（突出片）
１１  凹所
１２ａ  係合部（係合溝）
１３  クッション材
１５  配線
【図１】
2008215005.tif 000003
【図２】
2008215005.tif 000004